(57)【要約】【課題】  インレットを簡単に取り外すことができ、また、インレットの格納情報と隠蔽情報との確実な整合管理を実現した通信用回路保持体を提供する。【解決手段】  基材２を折り曲げることで複数の領域２１、２２、２３を重ね合わせ、該複数の領域２１、２２、２３に、剥離可能接着剤を設けた第一領域２１ａ、２２ａ、２３ａと、剥離不可能強接着剤を設けた第二領域２１ｂ、２２ｂ、２３ｂを配し、前記第一領域内には隠蔽情報６を設け、前記第二領域内には回路３、導通部４及び配線部５が基板２の各領域にそれぞれ配置され、前記第一領域と前記第二領域との間に分離手段２６が設けられている。【選択図】    図１
2006239874.tif 000002
【特許請求の範囲】
【請求項１】
連接する複数の領域を有する基材と、該基材の各領域にそれぞれ配置されたスパイラル状の回路、前記基材を貫通してなる２つの導通部及び直線状の配線部とを備え、前記基材を折り曲げることにより、前記複数の領域を重ね合わせた際に、前記回路の両端部と前記配線部の両端部とが、前記導通部のそれぞれを介して電気的に接続するように配設されてなる通信用回路保持体であって、
前記複数の領域の重ね合わせ面には、少なくとも領域内の何れかの箇所が剥離可能に接着された第一領域と、剥離不可能に接着された第二領域とが配されており、
前記第一領域内には隠蔽情報が、前記第二領域内には前記回路、導通部及び配線部が、それぞれ設けられ、
前記第一領域と前期第二領域との間には、両者を分離する分離手段を有していることを特徴とする通信用回路保持体。
【発明の詳細な説明】
【技術分野】
【０００１】
本発明は、通信用回路保持体に関する。
【背景技術】
【０００２】
近年、例えば、ＲＦＩＤ（Ｒａｄｉｏ  Ｆｒｅｑｕｅｎｃｙ  Ｉｄｅｎｔｉｆｉｃａｔｉｏｎ）と称される非接触型メディア（非接触型ＩＣカード等）に関する技術が急速に進歩してきており、その使用も多岐にわたっている。
【０００３】
この種のＲＦＩＤは、基材にアンテナをパターン形成して、ＩＣチップを搭載したインレットと称されるものを他の基材に貼着して作製される。このようなインレットは、基材に紙材やフィルムを使用するものも多く、インレットに、各種情報が印刷された紙基材やフィルムを接着剤等で接着している。
また、紙材やフィルムなどをベース基材としたインレットにおいては、通信のためのアンテナのパターンを、例えば複数巻き回してスパイラル状の回路に形成するのが一般的であり、パターンの両端の接点間を、導通部材を用いて電気的に導通させることによって通信を可能としている。また、前記回路にＩＣチップを搭載した構成とすることにより、各種機能を持たせることができる。
【０００４】
このようなインレットを、ミシン目線からカード形状に切り取り可能な構成で、３つの連接したはがき部からなる郵便はがきに装着したものであって、前記３つの連接したはがき部を折り畳んで接着した際、第一はがき部と第二はがき部との各々全面が剥離可能に接着され、第二はがき部と第三はがき部との各々全面が剥離不可能に強接着され、インレットが第二はがき部又は第三はがき部に装着された通信用回路保持体が提案されている（例えば、特許文献１）。
【０００５】
特許文献１に記載の通信用回路保持体は、上述の構成により、第二はがき部および第三はがき部に設けたカード形状のミシン目線からインレットを取り外して使用可能な状態とされ、また、第一はがき部と第二はがき部とを剥離して見開くことにより、剥離面に表示された隠蔽情報を閲覧することができるものである。
【０００６】
また、インレットを、３つの連接した帳票片をＺ状に折り曲げ、縁部を接着してなる封書に装着したものであって、該封書の所定の３辺をミシン目から切り取ることにより、３つの帳票片を見開いて内部情報を閲覧することが可能に構成され、見開いた封書の中心の帳票片に、インレットがカード形状に切り取り可能に装着された通信用回路保持体が提案されている（例えば、特許文献２）。
【０００７】
特許文献２に記載の通信用回路保持体は、上述の構成により、封書の３辺をミシン目線から切り取って開封し、中央の帳票片に装着されたインレットをミシン目線でカード形状に切り取り、また、封書内部の各帳票片に印刷された情報を閲覧することができるというものである。
【特許文献１】特開２００３−１４１４９２号公報
【特許文献２】特開２００３−１４１４９３号公報
【発明の開示】
【発明が解決しようとする課題】
【０００８】
しかしながら、特許文献１及び特許文献２に記載の通信用回路保持体では、基材とは別体をなすインレットを、予め印刷されたフィルムや紙製の基材に接着剤で接着するものであり、インレット及び上下基材の３つの層で構成されるため、工程が多く、材料コストも高くなる。
また、特許文献１及び特許文献２の通信用回路保持体の構成では、各々のはがき部（基材）に情報を印刷した後にインレットを貼着する際、予め基材に印刷された前記隠蔽情報と、インレットに格納された情報とでは、情報内容が異なったものになってしまう虞があり、インレットを取り外して使用する際に支障を来す虞がある等の問題があった。
【０００９】
本発明は、前記事情に鑑みてなされたものであり、インレットを別体として用意する必要が無く、また、インレットを簡単に取り外すことができるとともに、インレットの格納情報と隠蔽情報との整合管理をも図れる通信用回路保持体を提供することを目的とする。
【課題を解決するための手段】
【００１０】
本発明は、連接する複数の領域を有する基材と、該基材の各領域にそれぞれ配置されたスパイラル状の回路、前記基材を貫通してなる２つの導通部及び直線状の配線部とを備え、前記基材を折り曲げることにより、前記複数の領域を重ね合わせた際に、前記回路の両端部と前記配線部の両端部とが、前記導通部のそれぞれを介して電気的に接続するように配設されてなる通信用回路保持体であって、前記複数の領域の重ね合わせ面には、少なくとも領域内の何れかの箇所が剥離可能に接着された第一領域と、剥離不可能に接着された第二領域とが配されており、前記第一領域内には隠蔽情報が、前記第二領域内には前記回路、導通部及び配線部が、それぞれ設けられ、前記第一領域と前期第二領域との間には、両者を分離する分離手段を有していることを特徴とする通信用回路保持体を提供する。
【００１１】
かかる構成によれば、基材を折り曲げることで複数の領域を重ね合わせることにより、回路の両端部が電気的に接続され、重ね合わせ面に配された第二領域内においてインレットを簡便な構成で設けることができる。
また、分離手段を有していることにより、隠蔽情報が設けられた第一領域と、回路が設けられた第二領域とを分離して使用することも可能となる。
【発明の効果】
【００１２】
本発明に係る通信用回路保持体によれば、基材を折り曲げることで複数の領域を重ね合わせ、該複数の領域に、剥離可能接着剤を設けた第一領域と、剥離不可能強接着剤を設けた第二領域を配し、前記第一領域内には隠蔽情報を設け、前記第二領域内には回路、２つの導通部及び配線部が前記基板の各領域にそれぞれ配置され、前記第一領域と前記第二領域との間に分離手段が設けられている。
これにより、前記第二領域内においてインレットを簡便な構成で設けることができる。また、分離手段を有していることにより、隠蔽情報が設けられた第一領域と、回路が設けられた第二領域とを分離して使用することも可能となる。
従って、通信用回路保持体の使用性が向上する。
【発明を実施するための最良の形態】
【００１３】
以下、本発明に係る通信用回路保持体の実施の形態について、図面を用いて説明する。
図１（ａ）、（ｂ）及び図２（ａ）、（ｂ）は、本実施形態の通信用回路保持体を示す図であり、この通信用回路保持体１は、  連接する領域２１、２２、２３を有する基材２と、各々の領域２１、２２、２３にそれぞれ配置されたスパイラル状のアンテナ（回路）３と、基材２を貫通してなる２つの導通部４及び直線状の配線部５とで概略構成される。
また、本実施形態の通信用回路保持体１では、基材２を折り曲げることによって領域２１、２２、２３を重ね合わせた際に、アンテナ３の両端部３１、３２と配線部５の接点（両端部）５１、５２とが、導通部４を介して電気的に接続するように配設されている。
また、領域２１、２２、２３の重ね合わせ面２１ｃ、２２ｃ、２２ｄ、２３ｄには、剥離可能接着剤７を設けた第一領域２ａと、剥離不可能強接着剤８を設けた第二領域２ｂとが配されており、第一領域２ａ内には隠蔽情報６が、第二領域２ｂ内には回路３、導通部４及び配線部５が、それぞれ設けられ、第一領域２ａと第二領域２ｂとの間には、両者を分離する分離手段２４を有している。
【００１４】
基材２は、折線２５を境界として領域２１、２２が連接し、折線２６を境界として領域、２２、２３が連接してなる。各々の領域２１、２２、２３には、該各領域を重ね合わせた際に、剥離可能接着剤７によって貼着される領域の第一領域２１ａ、２２ａ、２３ａと、剥離不可能強接着剤８によって貼着される領域の第二領域２１ｂ、２２ｂ、２３ｂとが配されている。
【００１５】
領域２１の一方の面２１ｃの内、第二領域２１ｂには、アンテナ３がスパイラル状に設けられている。アンテナ３には、折線２６を境にして領域２２、２３を重ね合わせ、これを、折線２５を境にして領域２１に重ね合わせた際、導通部４を介して配線部５の接点５１、５２の各々と接続される位置に、両端部３１、３２が設けられている。また、必要に応じて、アンテナ３のＩＣ接点３３、３４には、ＩＣチップ１０が接続される。
【００１６】
領域２３の一方の面２３ｃの内、第二領域２３ｂには、折線２６を境にして領域２２、２３を重ね合わせ、これを、折線２５を境にして領域２１に重ね合わせた際に、アンテナ３の両端部３１、３２と対向する位置に導通部４が設けられている。また、領域２３には、導通部４及び領域２３を、重ね合わせ方向（基材２の厚み方向）に貫通する貫通孔４１が設けられている。
【００１７】
領域２２の一方の面２２ｃの内、第二領域２２ｂには、接点５１、５２を有する配線部５が設けられている。配線部５の接点５１、５２は、折線２６を境にして領域２２、２３を重ね合わせた際に、導通部４と重なる位置に設けられている。
上述の構成により、第二領域２１ｂ、２２ｂ、２３ｂは、これらが重ね合わせられた際にインレット２ｂを形成するが、詳細は後述する。
【００１８】
図２（ａ）に示す例においては、基板２の各領域を重ね合わせた通信用回路保持体１は、縦長板状に構成される。
【００１９】
基材２の材質としては、特に限定されず、例えば紙材、樹脂材等、絶縁性の高い材料を用いれば良く、適宜選択して採用すれば良い。
【００２０】
アンテナ３は、導電性ペーストからなる膜等の導電体である。
アンテナ３の材質である導電性ペーストとしては、例えば、銀粉末、金粉末、白金粉末、アルミニウム粉末、パラジウム、ロジウムなどの粉末、カーボン粉末（カーボンブラック、カーボンナノチューブなど）などの導電微粒子を樹脂組成物に配合したもの等を用いることができる。導電性ペーストをなす樹脂組成物としては、熱硬化型樹脂組成物、光硬化型樹脂組成物、浸透乾燥型樹脂組成物、溶剤揮発型樹脂組成物が挙げられるが、アンテナ３の材質は、適宜決定すれば良い。
また、アンテナ３の厚みは、特に限定されないが、アンテナ３に接続されるＩＣチップ１０等の寸法に応じて適宜決定すれば良い。
【００２１】
上述したような、導電微粒子を樹脂組成物に配合した導電性ペーストとしては、例えば、熱可塑性樹脂のみか、或いは熱可塑性樹脂と架橋性樹脂とを配合した樹脂組成物（特にポリエステルポリオールとイソシアネートによる架橋性樹脂など）に、導電微粒子が６０質量％以上配合され、ポリエステル樹脂が１０質量％以上配合されたもの、すなわち、溶剤揮発型かあるいは架橋／熱可塑併用型（ただし熱可塑型が５０質量％以上である）のもの等が好適に用いられる。
【００２２】
また、通信用回路保持体１において、高い耐折り曲げ性が要求される場合には、導電性ペーストに可撓性付与剤を配合することが好ましい。可撓性付与剤としては、例えば、ポリエステル系可撓性付与剤、アクリル系可撓性付与剤、ウレタン系可撓性付与剤、ポリ酢酸ビニル系可撓性付与剤、熱可塑性エラストマー系可撓性付与剤、天然ゴム系可撓性付与剤、合成ゴム系可撓性付与剤などが挙げられる。本発明の通信用回路保持体においては、これらの可撓性付与剤を単独か、或いは２種以上を組み合わせられて用いることができる。
【００２３】
また、アンテナ３の両端部３１、３２、及び、ＩＣ接点３３、３４は、アンテナ３と同一の材料で、アンテナ３と同一面上（領域２１の一方の面２１ｃの内、第二領域２１ｂ）に形成されている。
【００２４】
導通部４、及び、配線部５は、アンテナ３と同一の材料で構成されている。
【００２５】
なお、本実施形態においては、回路としてアンテナ３を例示しているが、本発明の通信用回路保持体はこれに限定されない。本発明の通信用回路保持体にあっては、回路は通信機能を有さない電気回路であってもよい。また、アンテナ３として、コイルアンテナを例示しているが、本発明の通信用回路保持体はこれに限定されない。本発明の通信用回路保持体にあっては、電磁誘導、マイクロ波電波方式を採用しても良く、また、ポールアンテナ、折り曲げポールアンテナループアンテナ、ループアンテナ方式等を採用しても良い。本発明の通信用回路保持体のアンテナは、起電力が得られれば、アンテナの形状については、適宜選択して採用することができる。
【００２６】
本実施形態の通信用回路保持体１では、基材２が有する連接した領域２１、２２、２３において、更に、剥離可能接着剤７を設けた第一領域２１ａ、２２ａ、２３ａと、剥離不可能強接着剤８を設けた第二領域２１ｂ、２２ｂ、２３ｂとが配されている。
【００２７】
剥離可能接着剤７は、接着後において接着面を剥離することが可能な感圧接着剤からなるものである。このような感圧接着剤としては、従来の感圧接着剤として慣用されているものが用いられ、この中でも、２２０ｇｆ／２５ｍｍ以下の剥離力を有するように接着剤を圧着させることが必要とされる。このような感圧接着剤としては、例えば、圧力が加わると接着性が現れる天然ゴム系接着剤やアクリル樹脂系等の合成ゴム系接着剤や酢酸ビニル系接着剤等の接着剤に、小麦澱粉やシリカ等の接着調整剤を充填させた感圧接着剤等が挙げられる。また、天然ゴムに、スチレンとメタクリル酸メチルとをグラフト共重合させて得られた天然ゴムラテックスが挙げられる。
剥離不可能強接着剤８は、接着することによって接着面が剥離困難または剥離不可能な状態にされる感圧接着剤からなるものである。このような感圧接着剤としては、従来の感圧接着剤として慣用されているものが用いられ、この中でも、２２０ｇｆ／２５ｍｍ以上の剥離力を有するように接着剤を圧着させることが必要とされる。このような感圧接着剤としては、例えば、圧力が加わると接着性が現れる天然ゴム系接着剤やアクリル樹脂系等の合成ゴム系接着剤や酢酸ビニル系接着剤等の接着剤に、小麦澱粉やシリカ等の接着調整剤を充填させた感圧接着剤等が挙げられる。また、天然ゴムに、スチレンとメタクリル酸メチルとをグラフト共重合させて得られた天然ゴムラテックスが挙げられる。
【００２８】
各領域を重ね合わせて剥離可能接着剤７で接着するためには、少なくとも重ね合わせられる何れかの領域に上記のような感圧接着剤を塗布しておけば良い。その後、一方の領域と他方の領域を重ね合わせ、２２０ｇｆ／２５ｍｍ以下の剥離力を有するように接着剤を圧着させると良い。また、重ね合わされる面の両方に上記のような感圧接着剤を塗布しておいても良い。すなわち両方の領域に上記のような感圧接着剤を塗布しておいても良い。
また、各領域を重ね合わせて剥離不可能強接着剤８で接着するためには、少なくとも重ね合わせられる何れかの領域に上記のような感圧接着剤を塗布しておけば良い。その後、一方の領域と他方の領域を重ね合わせ、２２０ｇｆ／２５ｍｍ超の剥離力を有するように接着剤を圧着させると良い。また、重ね合わされる面の両方に上記のような感圧接着剤を塗布しておいても良い。すなわち両方の領域に上記のような感圧接着剤を塗布しておいても良い。
基材２に剥離可能接着剤７及び剥離不可能強接着剤８を設けるためには、基材２に感圧接着剤を塗付して複数の領域を重ね合わせる。そして、剥離不可能強接着部８を２２０ｇｆ／２５ｍｍ超の剥離力を有するように接着し、その後、剥離可能接着部７を２２０ｇｆ／２５ｍｍ以下の剥離力を有するように接着すると良い。
【００２９】
第一領域２１ａ、２２ａ、２３ａ内の一方の面２１ｃ、２２ｃ、２３ｃには、隠蔽情報６が設けられている。
隠蔽情報６は、連絡や宣伝、通達等の内容が、印刷や貼付等によって表示される情報であり、例えば、コンサート等の催事概要、宣伝商品の概要等が挙げられる。
なお、図示例では、隠蔽情報６を、第一領域２１ａ、２２ａ、２３ａ内の一方の面２１ｃ、２２ｃ、２３ｃにのみ設けているが、第一領域２１ａ、２２ａ、２３ａ内の他方の面２１ｄ、２２ｄ、２３ｄに隠蔽情報６を設けても良い。
【００３０】
第一領域２１ａ、２２ａ、２３ａは、折線２６を境にして第一領域２２ａ、２３ａが重ね合わせられた際、互いに向き合った第一領域２２ａ、２３ａの一方の面２２ｃ、２３ｃが、剥離可能接着剤７によって貼着される。また、折線２５を境にして、第一領域２１ａと、折線２６を境にして重ね合わせられた第一領域２２ａ、２３ａとを重ね合わせた際、互いに向き合った第一領域２１ａの一方の面２１ｃと、第一領域２３ａの他方の面２３ｄとが、剥離可能接着剤７によって貼着される。
【００３１】
第二領域２１ｂ、２２ｂ、２３ｂは、折線２６を境にして第二領域２２ｂ、２３ｂが重ね合わせられた際、互いに向き合った第二領域２２ｂ、２３ｂの一方の面２２ｃ、２３ｃが、剥離不可能強接着剤８によって貼着される。また、折線２５を境にして、第二領域２１ｂと、折線２６を境にして重ね合わせられた第二領域２２ｂ、２３ｂとを重ね合わせた際、互いに向き合った第二領域２１ｂの一方の面２１ｃと、第二領域２３ｂの他方の面２３ｄとが、剥離不可能強接着剤８によって貼着される。
【００３２】
また、図１（ａ）に示すように、第一領域２１ａ、２２ａ、２３ａと、第二領域２１ｂ、２２ｂ、２３ｂとの間には、分離する分離手段２４が設けられている。
分離手段２４は、例えば、使用者に切り離しを促すための切り取り線を描いたものでも良いし、また、ミシン目線のような、使用者が手で容易にもぎることができるものとしても良く、適宜選択して採用すれば良い。
【００３３】
上述の構成により、第一領域２１ａ、２２ａ、２３ａは、各々の貼着面が剥離可能となっている。使用者は、貼着面、つまり、第一領域２１ａ、２２ａ、２３ａの一方の面２１ｃ、２２ｃ、２３ｃ、及び他方の面２３ｄをそれぞれ剥離することにより、第一領域２１ａ、２２ａ、２３ａの一方の面２１ｃ、２２ｃ、２３ｃに設けられた隠蔽情報６を閲覧することが可能となる。
【００３４】
図２（ａ）に示すように、本実施形態の通信用回路保持体１は、領域２１、２２、２３を重ね合わせた際には、縦長板状に構成されるが、通信用回路保持体１を使用する際には、分離手段２４から分離して使用することも可能である。これにより、通信用回路保持体１が、第一領域２１ａ、２２ａ、２３ａが重ね合わせられてなる印刷部２ａと、第二領域２１ｂ、２２ｂ、２３ｂが重ね合わせられてなるインレット２ｂとに分離して、それぞれ使用することが可能となる。
通信用回路保持体１を、印刷部２ａとインレット２ｂとに分離することにより、第一領域２１ａ、２２ａ、２３ａの貼着された各面を剥離させるのが容易になる。また、インレット２ｂを外部で使用する際の携帯性が向上する。
【００３５】
なお、通信用回路保持体１を、分離手段２４において分離する形態は、印刷部２ａとインレット２ｂを完全に切り離す形態には限定されない。例えば、第一領域２１ａ、２２ａと第二領域２１ｂ、２２ｂとの間に設けられた分離手段の位置でのみ両者が切り離して分離され、第一領域２３ａと第二領域２３ｂとの間は接続された状態とし、部分的に切り離された構成としても良い。
第一領域２１ａ、２２ａ、２３ａと第二領域２１ｂ、２２ｂ、２３ｂとの間で、切り離される部分及び接続された状態となる部分については、適宜決定すれば良い。
【００３６】
また、本実施形態の通信用回路保持体１では、第二領域２１ｂ、２２ｂ、２３にそれぞれ配置されたアンテナ３、導通部４及び配線部５を重ね合わせることでインレット２ｂを形成しているが、アンテナ３、導通部４及び配線部５を同一領域に形成してインレットを構成しても良い（図３参照）。
【００３７】
また、図１に示す通信用回路保持体１において、図４の通信用回路保持体１１、１２に示す例のように、第二領域内の何れかの箇所に、第一領域内に設けられた隠蔽情報６に関連する属性情報であるバーコード６１が、印刷や貼付等によって設けられた構成としても良い。
バーコード６１として設けられた隠蔽情報６に関連する属性情報は、例えば、製造情報Ａやユーザ情報Ｂ等が挙げられる。
【００３８】
製造情報Ａは、例えば、通信用回路保持体１の製造時に、第一領域内に隠蔽情報６を設ける際、バーコード６１に格納された製造情報Ａに関連した属性を有する隠蔽情報６を第一領域内に設けるようにすれば、第二領域を重ね合わせることによって形成されるインレット２ｂの格納情報と、隠蔽情報６に表示される情報との、製造時における整合管理を確実にすることができる。
詳細には、例えば、通信用回路保持体１を製造する際に、まず、インレットが形成される第二領域の製造を完了させた後、この第二領域内に形成されたインレットの格納情報と関連する隠蔽情報６の属性情報を、製造情報Ａとしてバーコード６１に格納して設ける。そして、第一領域内に隠蔽情報６を設ける際に、バーコード６１に格納された製造情報Ａを読み取り、この製造情報Ａと関連する属性を有する内容の隠蔽情報６を第一領域の一方の面に設けるようにする。
【００３９】
ユーザ情報Ｂは、例えば、第一領域内に隠蔽情報６を設ける際、バーコード６１に格納されたユーザ情報Ｂに関連した隠蔽情報６を第一領域内に設けるようにすれば、第二領域を重ね合わせることによって形成されるインレットの格納情報と、隠蔽情報６で表示される情報との整合管理を確実にすることができる。
詳細には、例えば、第二領域内に形成されるインレットの格納情報がコンサート催事会場入場情報である場合には、この格納情報と関連する隠蔽情報６の属性情報を、ユーザ情報Ｂとしてバーコード６１に格納して設ける。そして、第一領域内に隠蔽情報６を設ける際に、バーコード６１に格納されたユーザ情報Ｂを読み取り、インレットに格納されたコンサート催事会場入場情報と関連し、当該コンサート催事の顧客となるユーザへ提供するコンサート催事情報（会場、期日、演奏者等）を、隠蔽情報６として第一領域内に表示するように設ける。
これにより、第一領域内に設けられる隠蔽情報６の内容（コンサート催事情報）と、第二領域内に形成されるインレットに格納されているコンサート会場への当該ユーザの入場情報とが間違いなく一致するように、確実に管理することができる。
この場合、インレット２ｂはコンサート入場券（電子チケット）して機能させることができる。
【００４０】
また、属性情報としてユーザ情報Ｂが有する内容は、隠蔽情報６として表示される内容に限定されない。
例えば、本実施形態の通信用回路保持体１において、領域２１、２２、２３を重ね合わせた際に露出する領域２１の他方の面２１ｃ及び領域２２の他方の面２２ｃに、ユーザ情報Ｂに応じたユーザの特定情報、例えば住所や氏名等の非隠蔽表示領域を設け、この非隠蔽表示領域の情報と関連した属性情報をユーザ情報として格納しても良い。これにより、通信用回路保持体１をはがき又は封書として構成及び管理することができ、ユーザに対して、通信用回路保持体１を、このまま郵送することも可能となる。
また、領域２１の他方の面２１ｃ及び領域２２の他方の面２２ｃに設ける情報としては、模様や画像等であっても良い。
【００４１】
製造情報Ａやユーザ情報Ｂが格納されたバーコード６１を設ける位置は、第二領域２１ｂ、２２ｂ、２３ｂ内の何れの箇所であっても良いが、第二領域２１ｂ、２２ｂ、２３ｂを重ね合わせた際の貼着面（本実施形態では第二領域２１ｂ、２２ｂ、２３ｂの一方の面２１ｃ及び第二領域２３ｂの他方の面２１ｄ）にバーコード６１を印刷すれば、通信用回路保持体１の使用者の目に触れることがなく、通信用回路保持体１の外観が美麗になる。
【００４２】
また、本実施形態の通信用回路保持体１では、領域２２、２３と折線２６を境にして重ね合わせ、領域２１に、領域２２、２３を重ね合わせた部分を、折線２５を境にして重ね合わせた例を示しているが、これには限定されない。
例えば、領域２１、２２、２３をＺ字状に折り曲げて重ね合わせる等、他の重ね合わせ形態であっても良く、領域の重ね合わせの形態や貼着面については、適宜決定すれば良い。
【００４３】
また、本実施形態の通信用回路保持体１では、基材２に３つの領域２１、２２、２３を設けているが、これには限定されない。
例えば、図４（ａ）に示す例のように、２つの領域２０ａ、２０ｂからなる基材２０を備えた通信用回路保持体１１であっても良いし、図４（ｂ）に示すように、４つの領域３０ａ、３０ｂ、３０ｃ、３０ｄからなる基材３０を備えた通信用回路保持体１２のような多連構成とすることもでき、適宜決定して採用すれば良い。
【００４４】
また、本実施形態の通信用回路保持体１では、領域２１、２２、２３の各々において、剥離可能な第一領域と剥離不可能な第二領域を、それぞれ１領域ずつ設けた例を示しているが、これには限定されない。
例えば、図３に示す例のように、通信用回路保持体の使用形態等に応じて、基材４０が有する領域４０ａ、４０ｂ、４０ｃの各々の面に、第一領域又は第二領域の何れか一方のみを設けた構成の通信用回路保持体１３としても良い。図３に示す例では、基材４０の各領域の内、領域４０ａ、４０ｂの重ね合わせ面全体が剥離不可能強接着剤で接着されて内部にアンテナ３ａが収容され、領域４０ｂ、４０ｃの重ね合わせ面全体が剥離可能接着剤で接着されて内部に隠蔽情報が設けられる。これにより、通信用回路保持体１３では、使用者が領域４０ｂ、４０ｃを剥離させることにより、隠蔽情報を閲覧でき、また、領域４０ｃを基材４０から切り離すことも可能となる。
また、各領域に、第一領域及び第二領域の両方を複数ずつ備えた構成としても良く、適宜決定すれば良い。
【００４５】
また、図１及び図２に示す通信用回路保持体１では、分離手段２４によって第一領域と第二領域を分離する構成を説明しているが、これには限定されず、例えば、折線２５、２６の位置で分離する構成を採用しても良い。
【００４６】
また、図１に示す例においては、領域２１、２２、２３がそれぞれの長辺で連続してなる矩形状の基材２を例に説明しているが、本発明の通信用回路保持体はこれに限定されない。
例えば、基材が各領域の短辺で連続してなる矩形状や、基材が各領域の短辺または長辺で連続してなるＬ字状等であっても良く、適宜決定すれば良い。
【００４７】
以上、説明したように、本実施形態の通信用回路保持体１によれば、基材２を折り曲げることで複数の領域２１、２２、２３を重ね合わせ、該複数の領域２１、２２、２３に、剥離可能接着剤７を設けた第一領域２１ａ、２２ａ、２３ａと、剥離不可能強接着剤８を設けた第二領域２１ｂ、２２ｂ、２３ｂを配し、第一領域内には隠蔽情報６を設け、第二領域内にはアンテナ３、導通部４及び配線部５が基板２の各領域２１、２２、２３にそれぞれ配置され、第一領域と第二領域との間に分離手段６が設けられている。
これにより、第一領域内に設けられた隠蔽情報６は、第一領域の重ね合わせ面を剥離することで容易に閲覧することができ、また、第二領域内に設けられたアンテナ３の両端部３１、３２が電気的に接続されることにより、第二領域内においてインレットを簡便な構成で設けることができる。また、分離手段６を有していることにより、隠蔽情報６が設けられた第一領域と、アンテナ３が設けられた第二領域とを分離して使用することも可能となる。
また、第二領域内に格納した隠蔽情報６に関連する属性情報を用いて第一領域に設ける隠蔽情報６の内容を決定するように構成することにより、隠蔽情報６と第二領域に形成されるインレットの格納情報との整合管理が容易になる。
また、通信用回路保持体１によれば、第二領域内に格納された属性情報を製造情報Ａ、及び／又は、ユーザ情報Ｂとすることにより、第二領域に形成されるインレットの格納情報と、第一領域に設けられる隠蔽情報６とが関連付けられた内容となるように構成している。これにより、隠蔽情報６と第二領域に形成されるインレットの格納情報との整合管理がより確実かつ容易になる。
従って、通信用回路保持体の製造効率及び製造品質の両方が向上する。
【００４８】
以下に、本発明に係る通信用保持体の製造方法の一例を説明する。
以下の説明においては、図１及び図２に示す通信用保持体１を製造する場合の方法について、同じ図面と符号を用いて説明し、その詳細を省略する。
【００４９】
まず、基材２をなす第二領域２３ｂ内の所定の位置に、貫通部９および貫通孔４ａを形成する（図２（ｂ）参照）。
そして、第二領域２１ｂの一方の面２１ｃに、導電性ペースト等からなって所定の厚みを有し、所定のパターンを形成するアンテナ３を設け、第二領域２３ｂの一方の面２３ｃに、貫通孔４ａに重なるように導通部４を設ける。
そして、アンテナ３のＩＣ接点３３、３４に、導電性ペースト、または、はんだからなる導電材を介してＩＣチップ１０を実装し、ＩＣチップ１０とアンテナ３とを電気的に接続する。
【００５０】
次いで、折線２５、２６に沿って、基材２を折り曲げる。上述したように、折線２６に沿って、接着剤を介して領域２２と領域２３を重ね合わせ、これに、折線２５に沿って、接着材を介して領域２１を重ね合わせる。この際、第一領域２１ａ、２２ａ、２３ａには剥離可能接着剤７、第二領域２１ｂ、２２ｂ、２３ｂには剥離不可能強接着剤８を介在させ、各々の領域を重ね合わせる（図１（ａ）、（ｂ）及び図２（ｂ）参照）。
【００５１】
次いで、各々の領域を重ね合わせた状態で、領域２１、領域２２及び領域２３に所定の圧力を加えることにより、アンテナ３および配線部５を形成する導電性インキ等の導電性部材を、貫通孔４ａ内に充填することによって、導通部４を介して、両端部３１、３２と配線部５を電気的に接続するとともに、第一領域２１ａ、２２ａ、２３ａを、剥離可能接着剤７を介して接着し、第二領域２１ｂ、２２ｂ、２３ｂを、剥離不可能強接着剤８を介して接着することにより、図２（ａ）、（ｂ）に示すような通信用回路保持体１を得る。
【００５２】
上述した通信用回路保持体の製造方法によれば、複雑な機構の製造装置を用いること無く、容易、且つ、低コストで通信用回路保持体を製造することができる。
【産業上の利用可能性】
【００５３】
本発明の通信用回路保持体は、主として各種パンフレットやダイレクトメール等のはがき、封書等として使用され、通信用回路保持体内にインレットを構成しているため、そのままか、或いはインレットの領域（第二領域）を分離して非接触型ＩＣカードとして使用することができ、また、前記インレットと関連付けられて、重ね合わせた第一領域の内部に設けられた隠蔽情報を閲覧することができるものである。
【図面の簡単な説明】
【００５４】
【図１】本発明の通信用回路保持体の一例を説明する概略図であり、（ａ）は平面図、（ｂ）はＩｂ−Ｉｂ断面図である。
【図２】本発明の通信用回路保持体の一例を説明する概略図であり、（ａ）は平面図、（ｂ）はＩＩｂ−ＩＩｂ断面図である。
【図３】本発明の通信用回路保持体の他例を説明する概略図である。
【図４】本発明の通信用回路保持体の他例を説明する概略図である。
【符号の説明】
【００５５】
１…通信用回路保持体、２…基材、２１、２２、２３…領域、２１ａ、２２ａ、２３ａ…第一領域、２１ａ、２２ａ、２３ａ…第二領域、２１ｃ、２２ｃ、２３ｃ…一方の面、２１ｄ、２２ｄ、２３ｄ…他方の面、２４…分離手段、３…アンテナ（回路）、３１、３２…両端部、３３、３４…ＩＣ接点、４…導通部、４ａ、５ａ…貫通孔、５…配線部、６…隠蔽情報、６１…バーコード、７…剥離可能接着剤、８…剥離不可能強接着剤、Ａ…製造情報、Ｂ…ユーザ情報
【図１】
2006239874.tif 000003
【図２】
2006239874.tif 000004
【図３】
2006239874.tif 000005
【図４】
2006239874.tif 000006